(57)【要約】【課題】芯材が用いられていても折り畳みが可能な工具収容バッグを提供する。【解決手段】上面２Ａのみ若しくは上面及び下面を開放可能とした布製で６面体のバッグ本体２と、バッグ本体において隣接する少なくとも３つの面に設けられる芯材とを含む工具収容バッグ１であって、芯材を、３つの面２Ａ、２Ｂ、Ｂ１（Ｓ１、Ｓ２）に対応させた複数の平面体で構成すると共に、複数の平面体から少なくとも１つの平面体を、該少なくとも１つの平面体が対応するバッグ本体の面Ｂ１（Ｓ１、Ｓ２）から切り離す一方、バッグ本体を、芯材が設けられた面２Ａ、２Ｂを折曲させることなく折り畳み可能とし、少なくとも１つの平面体をバッグ本体の面から切り離した状態で、バッグ本体の非折曲面の内の１面２Ｂに、該１面以外で芯材が設けられた他の面２Ａを重ね合わせることで、バッグ本体２を折り畳む。【選択図】図２
2012024876.tif 000002
【特許請求の範囲】
【請求項１】
上面のみ若しくは上面及び下面を開放可能とした布製で６面体のバッグ本体と、そのバッグ本体において隣接する少なくとも３つの面に設けられる芯材と、を含む工具収容バッグであって、
前記芯材を、前記３つの面に対応させた複数の平面体で構成すると共に、前記複数の平面体のうち少なくとも１つの平面体を、該少なくとも１つの平面体が対応する前記バッグ本体の面から切り離す一方、
前記バッグ本体を、前記芯材が設けられた面を折曲させることなく折り畳み可能とし、
前記少なくとも１つの平面体を前記バッグ本体の面から切り離した状態で、前記バッグ本体の非折曲面の内の１面に、該１面以外で前記芯材が設けられた他の面を重ね合わせることで、前記バッグ本体を折り畳むことを特徴とする工具収容バッグ。
【請求項２】
前記切り離した少なくとも１つの平面体を前記バッグ本体から取り出して、前記非折曲面の内の１面に前記他の面を重ね合わせて、前記バッグ本体を折り畳み可能にしたことを特徴とする請求項１に記載の工具収容バッグ。
【請求項３】
前記隣接する３つの面は、前記バッグ本体の背面と上面と内底面あるいは前記背面と前記上面と前記バッグ本体の左右の内側面の一方であって、
前記背面と前記上面とに前記平面体をそれぞれ内在させて、
前記内底面と前記左右の内側面とに対応させて前記１つの平面体を含む３つの平面体が一体に結合された結合平面体を、前記内底面と前記左右の内側面とに沿って、前記バッグ本体内に、前記内底面及び前記左右の内側面とそれぞれ切り離し可能に支持し、
前記バッグ本体内から前記結合平面体を取り出すことで、前記非折曲面としての前記背面に前記上面を重ね合わせて、前記バッグ本体を折り畳み可能にしたことを特徴とする請求項１又は２に記載の工具収容バッグ。
【請求項４】
前記複数の平面体のうち前記非折曲面に対応する平面体を、該非折曲面と一体に結合して、前記切り離した少なくとも１つの平面体が、前記非折曲面に結合した平面体に対して重なる態様で折り畳み可能として、前記バッグ本体内で前記芯材を折り畳んだ状態で前記バッグ本体を折り畳み可能としたことを特徴とする請求項１に記載の工具収容バッグ。
【発明の詳細な説明】
【技術分野】
【０００１】
この発明は、電動工具を収容するバッグ本体と、バッグ本体の変形を防ぐ芯材とを含む工具収容バッグに関する。
【背景技術】
【０００２】
例えば、特許文献１には、厚手の布製で各種工具類等を収容して携行するために使用する工具用かばんが開示されている。近年は、プラスチックや合成樹脂によって形成されたものに比べて軽量で取り扱いが容易であることから、工具収容バッグとして、特許文献１に開示されたような布製のものが用いられるようになっている。
【先行技術文献】
【特許文献】
【０００３】
【特許文献１】意匠登録第１３７５２０８号公報
【発明の概要】
【発明が解決しようとする課題】
【０００４】
ところで、布製の工具収容バッグについては、電動工具等を収容しないときや、電動工具等を収容しない状態で工具収容バッグを輸送するときには、保管スペースを削減したり一度に大量に輸送できるようにするために、折り畳み可能にすることが求められている。
【０００５】
しかしながら、布製の工具収容バッグでは、バッグの変形を防止するために芯材が用いられているため、芯材によってバッグの折り曲げが妨げられて、折り畳むことができなかった。
【０００６】
この発明は、このような状況に鑑み提案されたものであって、芯材が用いられていても折り畳みが可能な工具収容バッグを提供することを目的とする。
【課題を解決するための手段】
【０００７】
請求項１の発明に係る工具収容バッグは、上面のみ若しくは上面及び下面を開放可能とした布製で６面体のバッグ本体と、そのバッグ本体において隣接する少なくとも３つの面に設けられる芯材と、を含む工具収容バッグであって、前記芯材を、前記３つの面に対応させた複数の平面体で構成すると共に、前記複数の平面体のうち少なくとも１つの平面体を、該少なくとも１つの平面体が対応する前記バッグ本体の面から切り離す一方、前記バッグ本体を、前記芯材が設けられた面を折曲させることなく折り畳み可能とし、前記少なくとも１つの平面体を前記バッグ本体の面から切り離した状態で、前記バッグ本体の非折曲面の内の１面に、該１面以外で前記芯材が設けられた他の面を重ね合わせることで、前記バッグ本体を折り畳むことを特徴とする。なお、前記複数の平面体のうち少なくとも１つの平面体を、該少なくとも１つの平面体が対応する前記バッグ本体の面から切り離すとは、少なくとも１つの平面体が、前記バッグ本体の面と接しない状態を意味し、少なくとも１つの平面体をバック本体から取り出した状態と、少なくとも１つの平面体を、前記バッグ本体の面と接しない状態で、バッグ本体内に収容する状態との双方を含むものとする。
【０００８】
請求項２の発明は、請求項１において、前記切り離した少なくとも１つの平面体を前記バッグ本体から取り出して、前記非折曲面の内の１面に前記他の面を重ね合わせて、前記バッグ本体を折り畳み可能にしたことを特徴とする。
【０００９】
請求項３の発明は、請求項１又は２において、前記隣接する３つの面は、前記バッグ本体の背面と上面と内底面あるいは前記背面と前記上面と前記バッグ本体の左右の内側面の一方であって、前記背面と前記上面とに前記平面体をそれぞれ内在させて、前記内底面と前記左右の内側面とに対応させて前記１つの平面体を含む３つの平面体が一体に結合された結合平面体を、前記内底面と前記左右の内側面とに沿って、前記バッグ本体内に、前記内底面及び前記左右の内側面とそれぞれ切り離し可能に支持し、前記バッグ本体内から前記結合平面体を取り出すことで、前記非折曲面としての前記背面に前記上面を重ね合わせて、前記バッグ本体を折り畳み可能にしたことを特徴とする。
【００１０】
請求項４の発明は、請求項１において、前記複数の平面体のうち前記非折曲面に対応する平面体を、該非折曲面と一体に結合して、前記切り離した少なくとも１つの平面体が、前記非折曲面に結合した平面体に対して重なる態様で折り畳み可能として、前記バッグ本体内で前記芯材を折り畳んだ状態で前記バッグ本体を折り畳み可能としたことを特徴とする。
【発明の効果】
【００１１】
請求項１の発明に係る工具収容バッグによれば、バッグ本体を折り畳みながら、バッグ本体の非折曲面に、芯材が設けられた他の面を重ね合わせることができる。これに伴って、工具収容バッグの折り畳みが可能になる。
請求項２の発明によれば、バッグ本体から、前記切り離した少なくとも１つの平面体を取り出すことで、バッグ本体の非折曲面以外の面から平面体（芯材）を取り除いた上で、バッグ本体を折り畳みながら、前記非折曲面に、芯材が設けられた他の面を重ね合わせることができる。これに伴って、工具収容バッグの折り畳みが可能になる。
請求項３の発明によれば、バッグ本体内から結合平面体を取り出すことで、バッグ本体の左右の側面及び底面から平面体（芯材）を取り除いた上で、左右の側面及び底面を折り畳みながら、バッグ本体の背面に、平面体を内在させたバッグ本体の上面を重ね合わせることができる。これに伴って、工具収容バッグの折り畳みが可能になる。
請求項４の発明によれば、バッグ本体の非折曲面に結合した平面体に対して、前記少なくとも１つの平面体を重ねて折り畳んだときには、バッグ本体における非折曲面以外の他の面から、平面体（芯材）を取り除くことができる。よって、芯材を取り除いた前記他の面の折り曲げ等が可能になることに伴って、工具収容バッグの折り畳みが可能になる。
【図面の簡単な説明】
【００１２】
【図１】（ａ）図は、本発明の第１実施形態の工具収容バッグの全体斜視図であり、（ｂ）図は、同工具収容バッグの内部から取り出し可能な補強芯材の斜視図であり、（ｃ）図は、同補強芯材を形成する平面体が回転可能に接合された状態を示した図である。
【図２】（ａ）図は、バッグ本体内から同補強芯材を取り出した工具収容バッグを折り畳むときの第１説明図であり、（ｂ）図はその第２説明図であり、（ｃ）図はその第３説明図である
【図３】（ａ）図は、本発明の第２実施形態の工具収容バッグの全体斜視図であり、（ｂ）図は、同工具収容バッグのバッグ本体を折り畳むときの説明図であり、（ｃ）図は、同工具収容バッグの補強芯材を折り畳むときの説明図であり、（ｄ）図は、同バッグ本体内に同補強芯材を折り畳んで同工具収容バッグを折り畳んだ状態を示した図である。
【図４】（ａ）図は、本発明の第３実施形態の工具収容バッグの全体斜視図であり、（ｂ）図は、同工具収容バッグのバッグ本体を押し崩すときの説明図であり、（ｃ）図は、同工具収容バッグの補強芯材を折り畳むときの説明図であり、（ｄ）図は、同バッグ本体内に同補強芯材を折り畳んで同工具収容バッグを折り畳んだ状態を示した図である。
【図５】（ａ）図は、本発明の第４実施形態の工具収容バッグの全体斜視図であり、（ｂ）図は、同工具収容バッグのバッグ本体を折り畳むときの説明図であり、（ｃ）図は、同工具収容バッグの補強芯材を折り畳むときの説明図であり、（ｄ）図は、同バッグ本体内に同補強芯材を折り畳んで同工具収容バッグを折り畳んだ状態を示した図である。
【図６】（ａ）図は、本発明の第５実施形態の工具収容バッグの全体斜視図であり、（ｂ）図は、同工具収容バッグのバッグ本体を折り畳むときの説明図であり、（ｃ）図は、同工具収容バッグの補強芯材を折り畳むときの説明図であり、（ｄ）図は、同バッグ本体内に同補強芯材を折り畳んで同工具収容バッグを折り畳んだ状態を示した図である。
【図７】（ａ）図は、２つの工具収容バッグを段積みして持ち運び可能にした状態の正面図であり、（ｂ）図は、２つの工具収容バッグを段積みして持ち運び可能にした状態の側面図である。
【発明を実施するための形態】
【００１３】
＜実施形態１＞
本発明の実施形態１を、図１及び図２を参照しつつ説明する。図１に示す工具収容バッグ１は、その内部に、インパクトドライバ等の電動工具を収容するものであって、折り曲げ可能な布素材で形成されている。工具収容バッグ１は、バッグ本体２と、補強芯材３とを備えている。
【００１４】
バッグ本体２は、折り曲げ可能な布体を縫い合わせて有底の略正方形の箱形をなす６面体とされている。バッグ本体２の上面２Ａは、バッグ本体２の背面２Ｂの上端部に縫い付けられている。これにより、上面２Ａを、背面２Ｂの上端部を支点として、該上端部にバッグ本体２の上下方向へ回転可能に支持でき、バッグ本体２の上部を開閉できる。電動工具は、バッグ本体２の上部の開口Ｈを通じてバッグ本体２に収容される。本実施形態のバッグ本体２では、その上面２Ａ、背面２Ｂ、正面２Ｃに、芯材をぞれぞれ封入することで、各面２Ａ〜２Ｃに芯材を内在させた。ここでは、各面２Ａ〜２Ｃに封入される芯材を、厚紙で形成した平面体とした。
【００１５】
補強芯材３は、バッグ本体２内で、その左側面２Ｄ、右側面２Ｅ及び底面２Ｆに沿って設けられることでバッグ本体２を強固にし、バッグ本体２の変形を防止するために用いられる。補強芯材３は、以下に説明するように、バッグ本体２の内部に配設又は該内部から取り外すことができる。補強芯材３は、バッグ本体２の内部に、バッグ本体２の内底面Ｂ１（図２の（ａ）図参照。）及びバッグ本体２の左内側面Ｓ１、右内側面Ｓ２（図２の（ａ）図参照。）とそれぞれ接しない切り離し可能な状態で、各面Ｂ１、Ｓ１、Ｓ２に支持される。図１の（ｂ）図に示すように、補強芯材３は、３つの平面体３Ａ〜３Ｃを一体にして正面視で逆門型形状とされ、バッグ本体２とは別体に形成されている。図１の（ｂ）図、（ｃ）図に示すように、平面体３Ａの左側縁Ｌ１には、平面体３Ｂが直立して、矢印にて示すように、平面体３Ｂが平面体３Ａ側へ回転可能に接合され、平面体３Ａの右側縁Ｌ２には、平面体３Ｃが直立して、矢印にて示すように、平面体３Ｃが平面体３Ａ側へ回転可能に接合されている。本実施形態では、各平面体３Ａ〜３Ｃを厚紙で形成した。なお、補強芯材３は、本発明の結合平面体の一例である。
【００１６】
工具収容バッグ１を折り畳む前には、図１の（ａ）図に示すように、バッグ本体２内に、補強芯材３が配設されている。上記の平面体３Ａの外面は、バッグ本体２の内底面Ｂ１（図２の（ａ）図参照。）の略全面に載置され、平面体３Ｂは、バッグ本体２の左内側面Ｓ１（図２の（ａ）図参照。）の略全面に沿って、平面体３Ｃは、バッグ本体２の右内側面Ｓ２（図２の（ａ）図参照。）の略全面に沿って、それぞれ支持されて立設する。これにより、工具収容バッグ１では、上記の背面２Ｂ、これに隣接する上記の上面２Ａ並びに内底面Ｂ１に芯材がそれぞれ設けられる。加えて、背面２Ｂ、これに隣接する上面２Ａ並びに左右の内側面Ｓ１、Ｓ２に芯材がそれぞれ設けられる。なお、各面２Ａ、２Ｂ、Ｂ１や各面２Ａ、２Ｂ、Ｓ１あるいは各面２Ａ、２Ｂ、Ｓ２は、それぞれ本発明の隣接する３つの面の一例である。
【００１７】
本実施形態の工具収容バッグ１は、以下に説明するようにして折り畳み可能である。工具収容バッグ１を折り畳む際には、ユーザ等は、バッグ本体２内で、図１の（ｃ）図に示すように、平面体３Ｂ、３Ｃを、各側縁Ｌ１、Ｌ２を支点として平面体３Ａ側に向けて倒しながら引き上げることで、補強芯材３を、上記の開口Ｈを通じて、バッグ本体２内から取り出す。これにより、図２の（ａ）図に示すように、バッグ本体２の左右の側面２Ｄ、２Ｅ及び底面２Ｆから、各平面体３Ａ〜３Ｃを取り除くことができる。その結果として、背面２Ｂに隣接する上面２Ａには平面体（芯材）を内在させた上で、平面体を内在させた背面２Ｂから、これに隣接する各平面体３Ａ〜３Ｃを分離してバッグ本体２内から取り出し可能である。なお、上面２Ａ、背面２Ｂにそれぞれ内在させた平面体及び平面体３Ａ、前記それぞれ内在させた平面体と平面体３Ｂ、前記それぞれ内在させた平面体と平面体３Ｃは、いずれも本発明の複数の平面体の一例である。また、各平面体３Ａ〜３Ｃはいずれも本発明の１つの平面体の一例である。
【００１８】
続いて、ユーザ等は、図２の（ａ）図、（ｂ）図に示すように、背面２Ｂの上端部を支点として、上面２Ａを、矢印にて示すように背面２Ｂに向けて回転させて、背面２Ｂの外面側に重ねる。それに加えて、ユーザ等は、矢印にて示すように左右の側面２Ｄ、２Ｅを、バッグ本体２の内側へ谷折りする。これにより、図２の（ｃ）図に示すように、両側面２Ｄ、２Ｅに縫い付けられた正面２Ｃが、バッグ本体２の内側へ向けて引っ張られて、さらには、図２の（ｂ）図に示すように、底面２Ｆが、谷折り線によって、矢印にて示すように前記内側へ折り込まれる。これに伴って、正面２Ｃが、前記内側へ谷折りされた両側面２Ｄ、２Ｅや前記内側へ折り込まれた底面２Ｆを背面２Ｂの内面側へ向けて押さえながら該内面側に重ねる。したがって、工具収容バッグ１では、上面２Ａ、背面２Ｂ及び正面２Ｃを折り曲げずに、背面２Ｂに、上面２Ａ、正面２Ｃを重ね合わせてほぼ平面状態にして、バッグ本体２が折り畳み可能になる。よって、本実施形態の工具収容バッグ１については、電動工具を収容しないときには、折り畳んで保管スペースを削減したり、輸送するときには、折り畳みができない工具収容バッグと比較して、輸送に要するスペースを削減させて一度に大量に輸送できる。なお、上面２Ａ、背面２Ｂ及び正面２Ｃは、本発明の非折曲面の一例である。また、背面２Ｂは本発明の非折曲面の内の１面の一例であり、上面２Ａは本発明の芯材が設けられた他の面の一例である。
【００１９】
＜実施形態１の効果＞
本発明の工具収容バッグ１では、上述したように、補強芯材３を、背面Ｂ１、左右の内側面Ｓ１、Ｓ２から切り離して、バッグ本体２内から取り出すことにより、平面体を内在させた背面２Ｂから、背面２Ｂに隣接する各平面体３Ａ〜３Ｃを分離した状態で、背面２Ｂに、平面体を内在させた上面２Ａ及び正面２Ｃをそれぞれ重ね合わせ可能として、バッグ本体２を折り畳み可能にした。このため、バッグ本体２の左右の側面２Ｄ、２Ｅ及び底面２Ｆから、各平面体３Ａ〜３Ｃを取り除いた上で、各面２Ｄ〜２Ｆをバッグ本体２の内側へ折り込みながら、背面２Ｂに、平面体を内在させた各面２Ａ、２Ｃを重ね合わせることができる。これに伴って、工具収容バッグ１の折り畳みが可能になる。
る。
【００２０】
＜実施形態２＞
本発明の実施形態２を、図３を参照しつつ説明する。ここでは、実施形態１と同様の内容についてはその説明を簡略化し、実施形態１と同一の構成は同一の符号を付しその説明を省略する。工具収容バッグ１Ａは、バッグ本体１０と、補強芯材１５とを備えている。実施形態１の工具収容バッグ１については、バッグ本体２の６面である各面２Ａ〜２Ｆに対して平面体（芯材）を配置したのに対し、本実施形態の工具収容バッグ１Ａでは、以下に説明するように、バッグ本体１０の４面である各面１０Ｂ、１０Ｄ〜１０Ｆに対して平面体（補強芯材１５）を配置した。
【００２１】
図３の（ａ）図に示すように、バッグ本体１０は、実施形態１と同様の６面体とされている。また、実施形態１の上面２Ａと同様に、バッグ本体１０の上面１０Ａが、バッグ本体１０の上下方向へ回転して、バッグ本体１０の上部を開閉可能とした。
【００２２】
補強芯材１５は、バッグ本体１０内に収容されるもので、バッグ本体１０内で、その背面１０Ｂ、左側面１０Ｄ、右側面１０Ｅ及び底面１０Ｆに沿って設けられる。図３の（ｃ）図に示すように、補強芯材１５は、４つの平面体１５Ａ〜１５Ｄを一体にして、バッグ本体１０とは別体に形成されている。同図に示すように、平面体１５Ｂを直立させた状態で、平面体１５Ｂの下側縁Ｌ３には、平面体１５Ａが、矢印にて示すように平面体１５Ｂに向けて回転可能に接合されている。平面体１５Ｂの左側縁Ｌ１１には、平面体１５Ｃが、その下側縁を平面体１５Ａの左側縁Ｌ２１から分離して、矢印にて示すように平面体１５Ｂに向けて回転可能に接合されている。加えて、平面体１５Ｂの右側縁Ｌ１２には、平面体１５Ｄが、その下側縁を平面体１５Ａの右側縁Ｌ２２から分離して、矢印にて示すように平面体１５Ｂに向けて回転可能に接合されている。平面体１５Ｂは、バッグ本体１０内で、背面１０Ｂの内面側Ｓ２１（図３の（ｂ）図参照。）に貼り付けられている。これにより、背面１０Ｂと平面体１５Ｂとは一体に結合される。各平面体１５Ａ〜１５Ｄは厚紙で形成されている。なお、平面体１５Ａ〜１５Ｄは、本発明の複数の平面体の一例である。
【００２３】
工具収容バッグ１Ａを折り畳む前には、バッグ本体１０内では、上記の内面側Ｓ２１（図３の（ｂ）図参照。）の略全面に平面体１５Ｂが貼り付けられた状態で、バッグ本体１０の内底面Ｂ２（図３の（ｂ）図参照。）に平面体１５Ａが載置されている。加えて、バッグ本体１０内では、平面体１５Ｃが、その下側縁を平面体１５Ａの左側縁Ｌ２１と接した状態で、バッグ本体１０の左内側面Ｓ１１（図３の（ｂ）図参照。）の略全面に沿って支持されて立設する。さらに、平面体１５Ｄは、その下側縁を平面体１５Ａの右側縁Ｌ２２と接した状態で、バッグ本体１０の右内側面Ｓ１２（図３の（ｂ）図参照。）の略全面に沿って支持されて立設する。なお、内底面Ｂ２、左内側面Ｓ１１、右内側面Ｓ１２は、本発明の少なくとも１つの平面体が対応するバッグ本体の面の一例である。
【００２４】
一方、工具収容バッグ１Ａを折り畳む際には、ユーザ等は、バッグ本体１０内で、図３の（ｃ）図に示すように、例えば、平面体１５Ｃを、上記の左側縁Ｌ１１を支点として上記の左側縁Ｌ２１から分離させて平面体１５Ｂに向けて回転させることで、平面体１５Ｂに重ねる。続いて、ユーザ等は、バッグ本体１０内で、平面体１５Ｄを、右側縁Ｌ１２を支点として上記の右側縁Ｌ２２から分離させて平面体１５Ｂに向けて回転させる。その後、ユーザ等は、バッグ本体１０内で、平面体１５Ａを、上記の下側縁Ｌ３を支点として、平面体１５Ｂに向けて回転させる。これにより、平面体１５Ｂに対し、各平面体１５Ｃ、１５Ｄ、１５Ａを順次重ねて、バッグ本体１０内に補強芯材１５を折り畳む。これにより、各平面体１５Ａ、１５Ｃ、１５Ｄを、バッグ本体１０の底面１０Ｆ及び左右の側面１０Ｄ、１０Ｅから切り離して、各面１０Ｄ〜１０Ｆから取り除くことができる。
【００２５】
さらに、ユーザ等は、図３の（ｂ）図に示すように、上面１０Ａを、矢印にて示すように背面１０Ｂに向けて回転させて、背面１０Ｂの外面側に重ねる。それに加えて、ユーザ等は、左右の側面１０Ｄ、１０Ｅを、谷折り線によって、矢印にて示すようにバッグ本体１０の内側へ折り込む。これにより、図３の（ｂ）図に示すように、両側面１０Ｄ、１０Ｅに縫い付けられたバッグ本体１０の正面１０Ｃが、バッグ本体１０の内側へ引っ張られて、さらには、底面１０Ｆが谷折りされてバッグ本体１０の内側へ折り込まれる。これに伴って、図３の（ｄ）図に示すように、正面１０Ｃが、上記の折り畳まれた芯材１５、前記内側へ折り込まれた左右の側面１０Ｄ、１０Ｅや該内側へ折り込まれた底面１０Ｆを、背面１０Ｂの内面側２１へ向けて押さえながら該内面側Ｓ２１へ重ねる。したがって、工具収容バッグ１Ａでは、背面１０Ｂを折り曲げずに、背面１０Ｂに、折り畳んだ補強芯材１５や各面１０Ａ、１０Ｃ〜１０Ｆを重ねてほぼ平面状態にして、バッグ本体１０が折り畳み可能になる。なお、背面２Ｂは、本発明のバッグ本体の非折曲面の一例であり、平面体１５Ｂは、本発明の前記非折曲面に対応する平面体の一例である。また、各平面体１５Ａ、１５Ｃ、１５Ｄは、本発明の切り離した少なくとも１つの平面体の一例である。
【００２６】
＜実施形態２の効果＞
本実施形態の工具収容バッグ１Ａでは、上述したように、平面体１５Ｂに対して、各平面体１５Ｃ、１５Ｄ、１５Ａを順次重ねて、補強芯材１５を折り畳み可能とし、前記平面体１５Ｂを背面１０Ｂに貼り付けて、バッグ本体１０内で前記補強芯材１５を折り畳んだ状態で、該バッグ本体１０を、上述の如く折り畳み可能とした。このため、平面体１５Ｂに対して各平面体１５Ｃ、１５Ｄ、１５Ａを重ねて補強芯材１５を折り畳んだときには、バッグ本体１０の底面１０Ｆ及び左右の側面１０Ｄ、１０Ｅから、各平面体１５Ａ、１５Ｃ、１５Ｄを取り除くことができる。よって、各面１０Ｄ〜１０Ｆがバッグ本体１０の内側へ折り込み可能になり、各面１０Ａ、１０Ｃを折り曲げずに背面１０Ｂに重ねることに伴って、工具収容バッグ１Ａの折り畳みが可能になる。
【００２７】
＜実施形態３＞
本発明の実施形態３を、図４を参照しつつ説明する。ここでは、実施形態１、２と同様の内容についてはその説明を省略又は簡略化し、実施形態２と同一の構成は同一の符号を付してその設明を省略する。工具収容バッグ１Ｂは、バッグ本体２０と、上記の補強芯材１５とを備えている。本実施形態のバッグ本体２０では、その左側面２０Ｄと、右側面２０Ｅと、背面２０Ｂと、正面２０Ｃとを、縫い合わせて連設させた。バッグ本体２０の上面２０Ａは、上側ヒンジ部材２６を介して前記背面２０Ｂの上側縁にへ回転可能に取り付けられている。上面２０Ａを背面２０Ｂに向けて回転させることで、バッグ本体２０の上部を開放できる。バッグ本体２０の底面２０Ｆは、下側ヒンジ部材２７を介して前記背面２０Ｂの下側縁へ回転可能に取り付けられている。底面２０Ｆを背面２０Ｂに向けて回転させることで、バッグ本体２０の下部を開放できる。本実施形態では、バッグ本体２０の下部を開放して、バッグ本体２０に収容された電動工具を、前記下部の開口から取り出すことができる。
【００２８】
補強芯材１５は、バッグ本体２０内で、その背面２０Ｂ、左側面２０Ｄ、右側面２０Ｅ及び底面２０Ｆに沿って設けられる。平面体１５Ｂは、バッグ本体２０内で、背面２０Ｂの内面側Ｓ３１（図４の（ｂ）図参照。）に貼り付けられている。これにより、背面２０Ｂと平面体１５Ｂとは一体に結合される。なお、バッグ本体２０の左内側面、右内側面及び底面２０Ｆにおけるバッグ本体２０の内部側は、本発明の少なくとも１つの平面体が対応するバッグ本体の面の一例である。
【００２９】
工具収容バッグ１Ｂを折り畳む際には、ユーザ等は、実施形態２と同様に、バッグ本体２０内で、平面体１５Ｂに対し、各平面体１５Ｃ、１５Ｄ、１５Ａを順次重ねて、補強芯材１５を折り畳む。これにより、各平面体１５Ａ、１５Ｃ、１５Ｄを、バッグ本体２０の底面２０Ｆ及び左右の側面２０Ｄ、２０Ｅから切り離して、各面２０Ｄ〜２０Ｆから取り除くことができる。
【００３０】
さらに、ユーザ等は、図４の（ｂ）図に示すように、上面２０Ａを、矢印にて示すように背面２０Ｂに向けて回転させて、背面２０Ｂの外面側に重ねた上で、底面２０Ｆを、矢印にて示すように背面２０Ｂに向けて回転させて、前記上面２０Ａに重ねる。それに加えて、ユーザ等は、矢印にて示すように、左側面２０Ｄを上記の内面側Ｓ３１に向けて押して、左側面２０Ｄが上記の折り畳まれた芯材１５を前記内面側Ｓ３１に押さえるようにした状態で、各面２０Ｂ〜２０Ｅを連設させてなる４面体の形状を押し崩す。これにより、各面２０Ｂ〜２０Ｅは、それぞれ繋がった状態でほぼ平面状態に配置される。したがって、工具収容バッグ１Ｂでは、図４の（ｄ）図に示すように、６つ面２０Ａ〜２０Ｆを折り曲げずに、背面２０Ｂに、各面２０Ａ、２０Ｆ、折り畳んだ補強芯材１５や左側面２０Ｄを重ねてほぼ平面状態にして、バッグ本体２０が折り畳み可能になる。なお、本実施形態の背面２０Ｂは、本発明のバッグ本体の非折曲面の一例である。また、図２の（ｄ）図では、各ヒンジ部材２６、２７の図示を省略した。
【００３１】
＜実施形態３の効果＞
本実施形態の工具収容バッグ１Ｂでは、実施形態２と同様に、バッグ本体２０内で補強芯材１５を折り畳んだ状態で、バッグ本体２０を、上述の如く折り畳み可能とした。このため、実施形態２と同様に、バッグ本体１０の底面２０Ｆ及び左右の側面２０Ｄ、２０Ｅから、各平面体１５Ａ、１５Ｃ、１５Ｄを取り除くことができる。よって、各面２０Ｂ〜２０Ｅを、それぞれ繋がった状態でほぼ平面状態に配置可能にし、各面２０Ａ、２０Ｄ、２０Ｆを背面２０Ｂに重ねることに伴って、工具収容バッグ１Ｂの折り畳みが可能になる。
【００３２】
＜実施形態４＞
本発明の実施形態４を、図５を参照しつつ説明する。ここでは、実施形態１ないし３と同様の内容についてはその説明を省略又は簡略化する。工具収容バッグ１Ｃは、バッグ本体３０と、補強芯材３５とを備えている。バッグ本体３０は、実施形態１ないし３と同様に６面体とされて、該バッグ本体３０の高さは、実施形態１ないし３の各バッグ本体２、１０、２０よりも低くなるようにした。バッグ本体３０の上面３０Ａは、実施形態１、２と同様に、バッグ本体３０の上部を開閉可能にする。
【００３３】
補強芯材３５は、バッグ本体３０内で、その背面３０Ｂ、左側面３０Ｄ、右側面３０Ｅ及び底面３０Ｆに沿って設けられる。図３の（ｃ）図に示すように、補強芯材３５は、４つの平面体３５Ａ〜３５Ｄを一体にして、バッグ本体３０とは別体に形成されている。平面体３５Ａは、バッグ本体３０の内底面Ｂ３（図５の（ｂ）図参照。）に貼り付けられている。これにより、内底面Ｂ３と平面体３５Ａとは一体に結合される。
【００３４】
平面体３５Ａの背面側縁Ｌ４には平面体３５Ｂが直立し、この平面体３５Ｂは、矢印にて示すように、背面側縁Ｌ４に対し、平面板３５Ａに向けて回転可能に接合されている。平面体３５Ｂの左側縁Ｌ３１には、平面体３５Ｃが、その下側縁を平面体３５Ａの左側縁Ｌ４１から分離して、矢印にて示すように平面体３５Ｂに向けて回転可能に接合されている。加えて、平面体３５Ｂの右側縁Ｌ３２には、平面体３５Ｄが、その下側縁を平面体３５Ａの右側縁Ｌ４２から分離して、矢印にて示すように平面体３５Ｂに向けて回転可能に接合されている。なお、平面体３５Ａ〜３５Ｄは、本発明の複数の平面体の一例である。
【００３５】
工具収容バッグ１Ｃを折り畳む前には、バッグ本体３０内では、内底面Ｂ３の略全面に平面体３５Ａが貼り付けられた状態で、平面体３５Ｂが、背面３０Ｂの内面側Ｓ４１（図５の（ｂ）図参照。）の略全面に支持されて立設する。加えて、バッグ本体３０内では、平面体３５Ｃが、その下側縁を平面体３５Ａの左側縁Ｌ４１と接した状態で、バッグ本体３０の左内側面Ｓ５１（図５の（ｂ）図参照。）の略全面に沿って支持されて立設する。さらに、平面体３５Ｄは、その下側縁を平面体３５Ａの右側縁Ｌ４２と接した状態で、バッグ本体３０の右内側面Ｓ５２（図５の（ｂ）図参照。）の略全面に沿って支持されて立設する。なお、内面側Ｓ４１、左内側面Ｓ５１、右内側面Ｓ５２は、本発明の少なくとも１つの平面体が対応するバッグ本体の面の一例である。
【００３６】
一方、工具収容バッグ１Ｃを折り畳む際には、ユーザ等は、バッグ本体３０内で、図５の（ｃ）図に示すように、平面体３５Ｃを、実施形態２で述べた方法と同様にして、平面体３５Ｂに重ねる。続いて、ユーザ等は、バッグ本体３０内で、平面体３５Ｄを、実施形態２で述べた方法と同様にして、平面体３５Ｂに向けて回転させる。その後、ユーザ等は、バッグ本体３０内で、平面体３５Ｂを、上記の背面側縁Ｌ４を支点として、平面体３５Ａに向けて回転させる。これにより、平面体３５Ａに対し、各平面体３５Ｄ、３５Ｃ、３５Ｂを順次重ねて、バッグ本体３０内に補強芯材３５を折り畳む。これにより、各平面体３５Ｂ〜３５Ｄを、バッグ本体３０の背面３０Ｂ及び左右の側面３０Ｄ、３０Ｅから切り離して、各面３０Ｂ、３０Ｄ、３０Ｆから取り除くことができる。
【００３７】
さらに、ユーザ等は、図５の（ｂ）図に示すように、左右の側面３０Ｄ、３０Ｅを、谷折り線によって、矢印にて示すようにバッグ本体３０の内側へ折り込むことで、該内側へ倒す。これにより、図５の（ｄ）図に示すように、両側面３０Ｄ、３０Ｅに縫い付けられたバッグ本体３０の正面３０Ｃ及び背面３０Ｂが、折り曲がらずに前記内側へ引っ張られて、倒れた側面３０Ｄ、３０Ｅの上に重ねられる。このとき、上面３０Ａをバッグ本体３０の上部が開口する方向へ回転させるすることで、上面３０Ａは、折り曲がることなく、背面３０Ｂと共に前記内側へ倒れた上で、上面３０Ａの一部が、背面３０Ｂに重ねられる。したがって、工具収容バッグ１Ｃでは、図５の（ｄ）図に示すように、各面３０Ａ〜３０Ｃ、３０Ｆを折り曲げずに、底面３０Ｆに、折り畳んだ補強芯材３５、前記内側へ折り込んだ側面３０Ｄ、３０Ｅや各面３０Ａ〜３０Ｃを重ねてほぼ平面状態にして、バッグ本体３０が折り畳み可能になる。なお、底面３０Ｆは、本発明のバッグ本体の非折曲面の一例であり、平面体３５Ａは、本発明の前記非折曲面に対応する平面体の一例である。また、各平面体３５Ｂ〜３５Ｄは、本発明の切り離した少なくとも１つの平面体の一例である。
【００３８】
＜実施形態４の効果＞
本実施形態の工具収容バッグ１Ｃでは、上述したように、平面体３５Ａに対して、各平面体３５Ｄ、３５Ｃ、３５Ｂを順次重ねて、補強芯材３５を折り畳み可能とし、前記平面体３５Ａを内底面Ｂ３に貼り付けて、バッグ本体３０内で前記補強芯材３５を折り畳んだ状態で、バッグ本体３０を、上述の如く折り畳み可能とした。このため、平面体３５Ａに対して各平面体３５Ｄ、３５Ｃ、３５Ｂを重ねて補強芯材３５を折り畳んだときには、バッグ本体３０の背面３０Ｂ及び左右の側面３０Ｄ、３０Ｅから、各平面体３５Ｂ〜３５Ｄを取り除くことができる。よって、各面３０Ｄ、３０Ｅがバッグ本体３０の内側へ折り込み可能になり、各面３０Ａ〜３０Ｃを折り曲ずに底面３０Ｆに重ねることに伴って、工具収容バッグ１Ｃの折り畳みが可能になる。
【００３９】
＜実施形態５＞
本発明の実施形態５を、図６を参照しつつ説明する。ここでは、実施形態１ないし４と同様の内容についてはその説明を省略又は簡略化し、実施形態２、３と同一の構成は同一の符号を付しその説明を省略する。工具収容バッグ１Ｄは、バッグ本体４０と、上記の補強芯材１５とを備えている。バッグ本体４０の上面４０Ａは、実施形態１、２、４と同様に、バッグ本体４０の上部を開閉可能にする。
【００４０】
補強芯材１５は、バッグ本体４０内で、その背面４０Ｂ、左側面４０Ｄ、右側面４０Ｅ及び底面４０Ｆに沿って設けられる。実施形態２、３と同様の方法で、背面４０Ｂと平面体１５Ｂとは一体に結合される。
【００４１】
工具収容バッグ１Ｄを折り畳む前には、バッグ本体４０内では、上記の背面４０Ｂの内面側Ｓ６１（図６の（ｂ）図参照。）に平面体１５Ｂが貼り付けられた状態で、バッグ本体４０の内底面Ｂ４（図６の（ｂ）図参照。）に平面体１５Ａが載置されている。加えて、実施形態２の場合と同様に、バッグ本体４０内では、平面体１５Ｃが、バッグ本体４０の左内側面Ｓ７１（図６の（ｂ）図参照。）に沿って支持されて立設し、平面体１５Ｄは、バッグ本体４０の右内側面Ｓ７２（図６の（ｂ）図参照。）に沿って支持されて立設する。なお、内底面Ｂ４、左内側面Ｓ７１、右内側面Ｓ７２は、本発明の少なくとも１つの平面体が対応するバッグ本体の面の一例である。
【００４２】
工具収容バッグ１Ｄを折り畳む際には、ユーザ等は、実施形態２と同様に、バッグ本体４０内に補強芯材１５を折り畳む。これにより、各平面体１５Ａ、１５Ｃ、１５Ｄを、バッグ本体４０の底面４０Ｆ及び左右の側面４０Ｄ、４０Ｅから切り離して、各面４０Ｄ〜４０Ｆから取り除くことができる。
【００４３】
さらに、ユーザ等は、図６の（ｂ）図に示すように、上面４０Ａを、矢印にて示すように背面４０Ｂに向けて回転させて、背面４０Ｂの外面側に重ねる。それに加えて、ユーザ等は、左右の側面４０Ｄ、４０Ｅを、谷折り線によって、矢印にて示すように、バッグ本体４０の前後方向（図６の（ｂ）図の左右方向）からバッグ本体４０の内側へ折り込む。これにより、両側面４０Ｄ、４０Ｅに縫い付けられた正面４０Ｃが、バッグ本体４０の内側へ引っ張られる。このとき、同（ｂ）図に示すように、正面４０Ｃは、谷折り線によって、矢印にて示すように、バッグ本体４０の上下方向（同（ｂ）図の上下方向）からバッグ本体４０の内側へ折り込まれ、これに従って、正面４０Ｃに縫い付けられた底面４０Ｆが、折り曲がることなく起き上がって、前記谷折りされた正面４０Ｃを、背面４０Ｂの内面側Ｓ６１へ向けて押さえながら該内面側Ｓ６１へ重ねる。したがって、工具収容バッグ１Ｄでは、図６の（ｄ）図に示すように、３つの面４０Ａ、４０Ｂ、４０Ｆを折り曲げずに、背面４０Ｂに、上面４０Ａ、折り畳んだ補強芯材１５、前記内側へ折り込んだ各面４０Ｃ〜４０Ｅや底面４０Ｆを重ねてほぼ平面状態にして、バッグ本体４０が折り畳み可能になる。なお、本実施形態の背面４０Ｂは、本発明のバッグ本体の非折曲面の一例である。
【００４４】
＜実施形態５の効果＞
本実施形態の工具収容バッグ１Ｄでは、実施形態２の場合と同様にバッグ本体４０内で補強芯材１５を折り畳んだ状態で、バッグ本体４０を、上述の如く折り畳み可能とした。このため、実施形態２の場合と同様に、バッグ本体４０の底面４０Ｆ及び左右の側面４０Ｄ、４０Ｅから、各平面体１５Ａ、１５Ｃ、１５Ｄを取り除くことができる。よって、前記左右の側面４０Ｄ、４０Ｅがバッグ本体４０の内側へ折り込み可能になり、上述の如く、補強芯材１５を設けていない正面４０Ｃを前記内側へ折り込んだ上で、上面４０Ａ及び底面４０Ｆを背面４０Ｂに重ね合わせるようにすることに伴って、工具収容バッグ１Ｄの折り畳みが可能になる。
【００４５】
ユーザ等が、上述した工具収容バッグ等を用いて電動工具を運搬する際に、一度に複数の工具収容バッグを持ち運ぶことができるようにしたいという要望がある。図７には、２つの工具収容バッグ５０Ａ、５０Ｂを、上下に重ねて一度に持ち運ぶことができる例を示した。各工具収容バッグ５０は、その全面の表皮がエナメル生地によって形成されたソフトケースバッグである。エナメル生地を用いることで、工具収容バッグ５０は、防水性や防油性に優れる。工具収容バッグ５０のケース本体５１の上端部には、該ケース本体５１の背面を除く３面にスライドファスナーＦが取り付けられている。これにより、ケース本体５１の上面をケースカバー５２として開放可能とした。
【００４６】
ケース本体５１の左側面５３及び右側面５４には、各側面５３、５４を左右に二等分する位置で上下方向に沿って、補強ベルト５６がそれぞれ縫い付けられている。各補強ベルト５６の上端部には、金属製の環金具５７が取り付けられて、補強ベルト５６の下端部には、エナメル生地で形成されたベルト通し部材５８が取り付けられている。
【００４７】
図７に示すように、工具収容バッグ５０Ａに工具収容バッグ５０Ｂを重ねた状態で、工具収容バッグ５０Ａの肩掛けベルト６０Ａの一端側を、工具収容バッグ５０Ｂの左側面５３の環金具５７及びベルト通し部材５８に挿通させる。次に、この肩掛けベルト６０Ａの一端部に設けたフック金具６１Ａを、工具収容バッグ５０Ａの左側面５３の環金具５７に連結する。
【００４８】
上記の肩掛けベルト６０Ａの他端部に設けたフック金具（図示せず。）は、工具収容バッグ５０Ｂの肩掛けベルト６０Ｂの一端部に設けたフック金具（図示せず。）と連結する。両フック金具の連結部分は、肩掛けベルト６０Ａの肩当て６２Ａ内と、肩掛けベルト６０Ｂの肩当て６２Ｂ内とにそれぞれ収納される。
【００４９】
一方、肩掛けベルト６０Ｂの他端側は、工具収容バッグ５０Ｂの右側面５４の環金具５７及びベルト通し部材５８に挿通される。その上で、肩掛けベルト６０Ｂの他端部に設けたフック金具６１Ｂを、工具収容バッグ５０Ａの右側面５４の環金具５７に連結する。以上のように、両肩掛けベルト６０Ａ、６０Ｂを用い、ユーザ等は、肩に両肩当て６２Ａ、６２Ｂを当てることで、工具収容バッグ５０Ａ、５０Ｂを段積みして担ぎながら持ち運び可能にできる。
【００５０】
本発明は、上述した実施形態に限定されるものではなく、発明の趣旨を逸脱しない範囲内において構成の一部を適宜変更して実施できる。例えば、上述した実施形態２、４とは異なり、各工具収容バッグ１Ａ、１Ｃを折り畳む前には、補強芯材１５を、各バッグ本体１０、３０の正面、左右の側面、底面に沿って設けるように構成して、各バッグ本体１０、３０の４つの面（正面、左右の側面、底面）に沿って、補強芯材１５を形成する平面体を立設させてもよい。
【００５１】
また、上述した実施形態１ないし５では、各工具収容バッグを折り畳む前には、各平面体を、バッグ本体の１面の略全面に沿って立設させたが、これに限らず、バッグ本体の変形を防止できる範囲で、前記１面の一部に沿って立設させてもよい。加えて、実施形態２ないし５では、各バッグ本体の背面の内面側に平面体を貼り付けたが、これに代えて、前記内面側に平面体を縫い付けてもよい。
【００５２】
さらに、上述した実施形態２ないし４では、各工具収容バッグを折り畳む前には、各バッグ本体の４面に平面体を立設させたが、これに限らず、例えば、実施形態２では、バッグ本体１０の正面１０Ｃに平面体を封入することを追加して、バッグ本体１０の５面に平面体を設けたり、これに加えてバッグ本体１０の上面１０Ａにも平面体を封入して、バッグ本体１０の６面に平面体を設けてもよい。実施形態３、４についても、この段落で述べた例と同様に、各バッグ本体２０、３０の５面又は６面に平面体を設けてもよい。
【００５３】
さらに加えて、上述した実施形態２ないし５では、各バッグ本体内で、各補強芯材を折り畳み可能としたが、これに代えて、実施形態１と同様に、各補強芯材をバッグ本体内から取り出し可能に形成してもよい。また、上述した実施形態１とは異なり、正面２Ｃには平面体を内在させず、上面２Ａ及び背面２Ｂにそれぞれ平面体を内在させた上で、内底面Ｂ１のみや左右の内側面Ｓ１、Ｓ２の一方のみに、各面Ｂ１、Ｓ１、Ｓ２から切り離し可能な平面体を設けてもよい。その上で、この平面体をバッグ本体２から取り出してもよい。加えて、実施形態２ないし５とは異なり、３つの平面体を一体にした補強芯材を、バッグ本体内で折り畳むようにしてもよい。この場合には、例えば、１つの平面体をバッグ本体の背面と一体に結合した上で、バッグ本体の左右の側面の一方とバッグ本体の底面とに沿ってそれぞれ平面体を設けて、背面と一体にした平面体以外の平面体を、前記一方の側面、前記底面から切り離した後に、前記背面と一体にした平面体に重ね合わせ可能にしてもよい。
【００５４】
また、工具収容バッグ５０Ａ、５０Ｂを段積みする際に用いるベルト通し部材５８は、図７に示した位置に限らず、補強ベルト５６の上下方向の適宜の位置に取り付けてもよい。
【符号の説明】
【００５５】
１（１Ａ〜１Ｄ）・・工具収容バッグ、２（１０、２０、３０、４０）・・バッグ本体、２Ａ（１０Ａ〜４０Ａ）・・バッグ本体の上面、２Ｂ・・バッグ本体の背面、２Ｃ・・バッグ本体の正面、２Ｄ・・バッグ本体の左側面、２Ｅ・・バッグ本体の右側面、２Ｆ・・バッグ本体の底面、３（１５、３５）・・補強芯材、３Ａ〜３Ｃ（１５Ａ〜１５Ｄ、３５Ａ〜３５Ｄ）・・平面体、Ｂ１（Ｂ２〜Ｂ４）・・バッグ本体の内底面、Ｓ１（Ｓ１１、Ｓ５１、Ｓ７１）・・バッグ本体の左内側面、Ｓ２（Ｓ１２、Ｓ５２、Ｓ７２）・・バッグ本体の右内側面、Ｓ２１（Ｓ３１、Ｓ４１、Ｓ６１）・・バッグ本体の背面の内面側
【図１】
2012024876.tif 000003
【図２】
2012024876.tif 000004
【図３】
2012024876.tif 000005
【図４】
2012024876.tif 000006
【図５】
2012024876.tif 000007
【図６】
2012024876.tif 000008
【図７】
2012024876.tif 000009